(57)【要約】【課題】或る冷媒回路系統の熱源機において圧縮機の故障が発生した場合に、利便性を損なうことなく、自動的に故障した熱源機の負荷を軽減することが可能な冷凍サイクルシステムを提供する。【解決手段】この冷凍サイクルシステムは、熱源機２Ａ〜２Ｄ、負荷側機器および冷媒配管からそれぞれ構成された複数の冷媒回路系統と、これらを制御する集中監視装置１と、を有している。そして、集中監視装置１は、機種情報取得部１０１と、故障情報取得部１０４と、運転能力比取得部１０８と、記憶装置部１０２と、熱源機順位付け部１０３と、類似熱源機選出部１０７と、運転能力比算出部１０５と、制御指令送信部１０６と、を備えている、【選択図】図２
2014185819.tif 000002
【特許請求の範囲】
【請求項１】
能力可変型の圧縮機を有して被空調室外に配置される熱源機、利用側熱交換器を有して被空調室内に配置される負荷側機器、および、冷媒を循環させるために前記熱源機と前記負荷側機器との間を連結する冷媒配管、からそれぞれ構成された複数の冷媒回路系統と、
前記複数の冷媒回路系統の各熱源機と通信回線を介して接続されて前記複数の冷媒回路系統の運転を制御する集中監視装置と、を有し、
前記集中監視装置は、
前記各熱源機から熱源機の機種に関する情報を取得する機種情報取得部と、
前記各熱源機から故障情報を取得する故障情報取得部と、
前記各熱源機に設定されている運転能力比を取得する運転能力比取得部と、
前記機種情報取得部により取得された前記熱源機の機種に関する情報、前記故障情報取得部により取得された故障情報、および前記運転能力取得部により取得された前記各熱源機の運転能力比を記憶しておく記憶装置部と、
前記記憶装置部に記憶された前記熱源機の機種に関する情報に基づいて、前記熱源機毎の運転能力の順位を設定する熱源機順位付け部と、
前期記憶装置部に記憶されている故障情報および前記熱源機順位付け部により設定された順位に基づいて、正常な熱源機のうちから、故障した熱源機と運転能力が近い熱源機を選出する類似熱源機選出部と、
前記熱源機の最大運転に対する現在の運転状態を表す運転能力比を算出する運転能力比算出部とを備えて成り、
前記類似熱源機選出部により選出された熱源機の運転能力との比、および、前記故障した熱源機の運転能力との比に基づいて、前記故障した熱源機の運転能力を決定して当該故障した熱源機に運転させることを特徴とする冷凍サイクルシステム。
【請求項２】
それぞれの負荷側機器が同一の被空調室内に配置された複数の冷媒回路系統を備え、前記複数の冷媒回路系統は、それぞれの負荷側機器が共通のリモートコントローラーに通信可能に接続された複数のグループにグループ分けされ、全ての冷媒回路系統の熱源機が前記集中監視装置に通信可能に接続されて制御され、前記集中監視装置の機種情報取得部は、各熱源機が属するグループに関する情報を前記各熱源機から取得する構成とされ、前記集中監視装置の熱源機順位付け部は、前記記憶装置部に記憶された前記熱源機の機種に関する情報に基づいて、同一の被空調室内に配置されている前記熱源機の運転能力の順位を前記複数のグループにまたがって設定する構成とされていることを特徴とする請求項１に記載の冷凍サイクルシステム。
【発明の詳細な説明】
【技術分野】
【０００１】
この発明は、同一の被空調室内を空気調和している複数の熱源機のいずれかが故障した場合に、残りの熱源機が自動的に運転能力を上げて、故障した熱源機の負荷を軽減するという故障時負荷分散制御を行なう冷凍サイクルシステムに関するものである。
【背景技術】
【０００２】
従来、同一の冷媒回路系統内に回転数可変の圧縮機を複数台有する熱源機において、各圧縮機は負荷側機器の運転状況に応じて自動的に運転能力制御を行っている。但し、回転数可変の圧縮機は、回転数定速の圧縮機と比べて故障する確率が高いという欠点がある。また、複数台の圧縮機を有する熱源機では、故障した圧縮機がある場合に、同一の冷媒回路系統内にある正常な圧縮機のみで運転を行うものが知られている（例えば、特許文献１）。
【先行技術文献】
【特許文献】
【０００３】
【特許文献１】特開平７−１９６２４号公報
【発明の概要】
【発明が解決しようとする課題】
【０００４】
特許文献１記載の従来技術では、故障した圧縮機がある場合、同一の冷媒回路系統内の正常な圧縮機の運転能力比を上げることで性能を維持しようとしているが、そのような運転で熱源機の性能を維持しようとすると、残った正常な圧縮機が高負荷な運転状態となり、運転寿命などに影響が発生するなどのおそれがある。これは、同一の冷媒回路系統内に複数台の圧縮機を有するマルチ熱源機も同様である。すなわち、或る圧縮機が故障した場合、同一の冷媒回路系統内の正常な圧縮機の運転能力を上げて庫内温度を維持しようとする。しかしながら、少ない圧縮機で性能維持するために、各圧縮機にかかる負担は大きくなっている。
【０００５】
この発明は、上記従来の課題を解決するためになされたもので、熱源機に故障が発生した場合に、利便性を損なうことなく、故障した熱源機の負荷を自動的に軽減することのできる冷凍サイクルシステムを得ることを目的とする。
【課題を解決するための手段】
【０００６】
上記目的を達成するために、本発明に係る冷凍サイクルシステムは、能力可変型の圧縮機を有して被空調室外に配置される熱源機、利用側熱交換器を有して被空調室内に配置される負荷側機器、および、冷媒を循環させるために前記熱源機と前記負荷側機器との間を連結する冷媒配管、からそれぞれ構成された複数の冷媒回路系統と、前記複数の冷媒回路系統の個々の熱源機と通信回線を介して接続されて前記複数の冷媒回路系統の運転を制御する集中監視装置と、を有し、前記集中監視装置は、前記内部ネットワークに接続された前記各熱源機から熱源機の機種に関する情報を取得する機種情報取得部と、前記各熱源機から故障情報を取得する故障情報取得部と、前記各熱源機に設定されている運転能力比を取得する運転能力比取得部と、前記機種情報取得部により取得された前記熱源機の機種に関する情報、前記故障情報取得部により取得された故障情報、および前記運転能力取得部により取得された前記各熱源機の運転能力比を記憶しておく記憶装置部と、前記記憶装置部に記憶された機種に関する情報に基づいて、前記熱源機毎の運転能力の順位を設定する熱源機順位付け部と、前期記憶装置部に記憶されている故障情報および前記熱源機順位付け部により設定された順位に基づいて、正常な熱源機のうちから、故障した熱源機と運転能力が近い熱源機を選出する類似熱源機選出部と、前記熱源機の最大運転に対する現在の運転状態を表す運転能力比を算出する運転能力比算出部とを備えて成り、前記類似熱源機選出部により選出された熱源機の運転能力との比、および、前記故障した熱源機の運転能力との比に基づいて、前記故障した熱源機の運転能力を決定して当該故障した熱源機に運転させることを特徴とするものである。
【発明の効果】
【０００７】
この発明の冷凍サイクルシステムは故障時負荷分散制御を行なうものであり、全ての熱源機の運転能力に対する、類似熱源機選出部により選出された熱源機の運転能力との比、および、故障した熱源機の運転能力との比に基づいて、故障した熱源機の運転能力を決定して当該故障した熱源機に運転させるように構成したので、被空調室の温度を設定目標温度に保ちながら、故障した熱源機の負荷分を自動的に補うことができるという効果を有する。すなわち、或る冷媒回路系統の熱源機が故障したときに、正常な複数の冷媒回路系統の熱源機の運転能力を上げて被空調室の室内温度を設定目標温度に維持することにより、個々の冷媒回路系統の圧縮機にかかる負担を自動的に軽減することができる。また、ユーザー操作にも追従できるため、ユーザーの使いやすさを損なうことなく実現が可能である。
【図面の簡単な説明】
【０００８】
【図１】この発明の実施の形態１における冷凍サイクルシステムの全体の概略構成を示すブロック構成図である。
【図２】前記冷凍サイクルシステムの集中監視装置の概略構成を示すブロック構成図である。
【図３】前記集中監視装置による熱源機の順位付けの表を示す図である。
【図４】前記集中監視装置による故障発生時のシーケンス制御の流れを示す図である。
【図５】前記集中監視装置によるこの発明の実施の形態１における環境負荷変化時のシーケンス制御の流れを示す図である。
【図６】前記集中監視装置による設定温度変更時のシーケンス制御の流れを示す図である。
【図７】前記集中監視装置による故障復旧時のシーケンス制御の流れを示す図である。
【図８】この発明の実施の形態２における冷凍サイクルシステムの全体の概略構成を示すブロック構成図である。
【発明を実施するための形態】
【０００９】
実施の形態１．
図１はこの発明の実施の形態１における冷凍サイクルシステムの全体の概略構成を示している。
図１において、実施の形態１による冷凍サイクルシステムは、負荷側機器３Ａ〜３Ｄが同一の被空調室７内に配置された４つの冷媒回路系統８Ａ〜８Ｄを備えている。それぞれの冷媒回路系統８Ａ〜８Ｄは、圧縮機９、絞り弁１０、利用側熱交換器１１、およびアキュムレータ（図示省略）が当該順でそれぞれ冷媒配管６Ａ〜６Ｄを介して環状に連結され冷媒循環可能に構成されている。絞り弁１０および利用側熱交換器１１は例えば負荷側機器３Ａ〜３Ｄに配備され、圧縮機９およびアキュムレータは例えば熱源機２Ａ〜２Ｄに配備されている。これら複数の冷媒回路系統８Ａ〜８Ｄは、負荷側機器３Ａ〜３Ｄが共通のリモートコントローラー４Ａに通信線５Ｆを介して通信可能に接続されている。そして、全ての冷媒回路系統８Ａ〜８Ｄの熱源機２Ａ〜２Ｄは集中監視装置１に通信線５Ａを介して通信可能に接続されて運転制御されるようになっている。符号の５Ｂ〜５Ｅはそれぞれ負荷側機器３Ａ〜３Ｄと熱源機２Ａ〜２Ｄとを通信可能に接続する通信線である。尚、この実施形態において、被空調室７は例えば「冷蔵倉庫」として例示され、熱源機２Ａ〜２Ｄは例えば「冷凍機」として例示され、負荷側機器３Ａ〜３Ｄは例えば「ユニットクーラー」として例示され、利用側熱交換器１１は「蒸発器」として例示される。但し、この発明はそれらに限定されるものでない。
【００１０】
図２は実施の形態１における集中監視装置１の構成例を示す機能ブロック図である。集中監視装置１は、いずれも汎用の、中央演算処理ユニット（ＣＰＵ）、メモリー、データバス、入出力機器、および対外通信機器から、主に構成されている。そして、集中監視装置１のＣＰＵは、機種情報取得部１０１、熱源機順位付け部１０３、故障情報取得部１０４、運転能力比算出部１０５、制御指令送信部１０６、類似熱源機選出部１０７、および、運転能力比取得部１０８のそれぞれの機能を備えている。これらの機能はプログラムデータとして予めＣＰＵに設定されている。また、記憶装置部１０２は、前記したメモリーで具体化される。
【００１１】
そして、熱源機順位付け部１０３は、図３の表に示すように、対象とする熱源機毎に、グループＧ１内での運転能力が近い順に、熱源機２Ａ〜２Ｄの順位付けをし、それらの順位データは記憶装置部１０２に記憶されている。
また、熱源機２Ａ〜２Ｄは自身に故障が発生したとき、通信線５Ａを介して集中監視装置１に故障発生を通報するようになっている。そして、後述するように、故障した熱源機２Ａの運転能力比と、選定された熱源機２Ｂの運転能力比との差に関する「閾値」は、予め外部から設定入力されて集中監視装置１の記憶装置部１０２に記憶されている。
【００１２】
次に、実施の形態１による冷凍サイクルシステムの集中監視装置１において実行される動作について、図４〜７を参照して説明する。
図４は「故障発生時」における通信シーケンスの内容を示している。
「熱源機の機種情報収集」：まず、集中監視装置１は、熱源機２Ａ〜２Ｄとの通信が可能になったとき、機種情報取得部１０１が、熱源機２Ａ〜２Ｄから、それぞれの機種に関する情報データをモニタ取得し、記憶装置部１０２に記憶させる（Ｓ１）。
「故障発生の通報」：熱源機２Ａ〜２Ｄは自身に故障が発生したとき、通信線５Ａを介して集中監視装置１に故障発生を通報する（Ｓ２）。
「運転能力比固定指令」：集中監視装置１の故障情報取得部１０４が圧縮機の故障を検知したときに、運転能力比算出部１０５は、該当する熱源機（例えば２Ａ）に対し、圧縮機９の運転能力比を現在値に固定し、運転能力比を現状の値に固定することを制御指令送信部１０６を介して熱源機２Ａに指令出力する（Ｓ３）。
「故障熱源機の運転能力比固定」：故障した熱源機２Ａは、集中監視装置１から運転能力比の固定指令を受けたとき、その時点で設定されている運転能力比で運転を継続する（Ｓ４）。
【００１３】
「正常な熱源機の自律運転」：正常な熱源機２Ｂ〜２Ｄは、熱源機２Ａが故障したことによる被空調室７内の環境変化に対して、それぞれの運転能力比が自律的に変化する（Ｓ５）。尚、「運転能力比が自律的に変化する」とは、全ての熱源機２Ａ〜２Ｄの運転能力に対する、類似熱源機選出部１０７により選出された熱源機２Ｂの運転能力との運転能力比、および、故障した熱源機２Ａの運転能力との運転能力比に基づいて、故障した熱源機２Ａの運転能力を決定し、その運転能力で、故障した熱源機２Ａを運転させたときに、全ての熱源機２Ａ〜２Ｄの運転能力に対して、独立して運転される残りの正常な熱源機の運転能力比が自ずと変化することである。
【００１４】
「正常な熱源機の中から選定」：集中監視装置１の類似熱源機選出部１０７は、記憶装置部１０２中の順位データを検索し、正常な熱源機２Ｂ〜２Ｄの中で、ステップＳ１で設定された順位が最も高い熱源機（例えば２Ｂ）を選出する（Ｓ６）。
「運転能力比の定期モニタ」：集中監視装置１の運転能力比取得部１０８は、選定された熱源機２Ｂから運転能力比のモニタ、すなわち運転能力比のデータ取得を定期的に行なう（Ｓ７）。
「運転能力比の変更」：集中監視装置１の運転能力比算出部１０５は、選定された熱源機２Ｂの運転能力比が安定したと判断し、更に、故障した熱源機２Ａの運転能力比と、選定された熱源機２Ｂの運転能力比との差が、既述の閾値以上であると判定したとき、制御指令送信部１０６は、故障した熱源機２Ａに対して、選定された熱源機２Ｂと同じ運転能力比を設定要求する指令出力をする。故障した熱源機２Ａの運転能力と、選定された熱源機２Ｂの運転能力とが異なる場合は、それぞれに重み付けしたうえで設定指令出力をする。故障した熱源機２Ａの運転能力比と、選定された熱源機２Ｂの運転能力比との差が、既述の閾値未満である場合は、運転能力比の設定変更指令を出力しない（Ｓ８）。
【００１５】
「故障熱源機の運転能力比変更」：そうして、故障した熱源機２Ａは、集中監視装置１から送信された運転能力比に基づいて運転を行なう（Ｓ９）。
「正常な熱源機の自律運転」：正常な熱源機２Ｂ〜２Ｄは、熱源機２Ａの運転能力比が変化したことによる環境変化に対して、それぞれの運転能力比が自律的に変化する（Ｓ１０）。
「運転能力比の定期モニタ」：集中監視装置１は、ステップＳ７と同様に、選定された熱源機２Ｂに対して、定期的に運転能力比のモニタを行なう（Ｓ１１）。
引き続き、集中監視装置１はステップＳ８からＳ１１までの処理を繰り返す（Ｓ１２）。
【００１６】
図５は「環境負荷変化時」における通信シーケンスの内容を示している。
「運転能力比の定期モニタ」：図４のシーケンス処理（Ｓ１２）から引き続き、集中監視装置１の運転能力比取得部１０８は、選定された熱源機２Ｂの運転能力比のモニタを定期的に行なう（Ｓ１３）。
「環境負荷変化」：そして、正常な熱源機２Ｂ〜２Ｄは、環境負荷の変化（例えば被空調室７の庫内温度の変化など）に対して、それぞれの運転能力比が自律的に変化する（Ｓ１４）。
「運転能力比の変更」：そうして、集中監視装置１の運転能力比算出部１０５は、選定された熱源機２Ｂの運転能力比が安定したと判断し、更に、故障した熱源機２Ａの運転能力比と、選定された熱源機２Ｂの運転能力比との差が、既述の閾値以上であると判定したとき、制御指令送信部１０６は、故障した熱源機２Ａに対して、選定された熱源機２Ｂと同じ運転能力比を設定要求する指令出力をする。故障した熱源機２Ａの運転能力と、選定された熱源機２Ｂの運転能力とが異なる場合は、それぞれに重み付けをしたうえで設定指令出力をする。故障した熱源機２Ａの運転能力比と、選定された熱源機２Ｂの運転能力比との差が、既述の閾値未満である場合は、運転能力比の設定指令出力を行わない（Ｓ１５）。
【００１７】
「故障熱源機の運転能力比変更」：そして、故障した熱源機２Ａは、集中監視装置１から送信された運転能力比に基づいて運転を行なう（Ｓ１６）。
「正常な熱源機の自律運転」：正常な熱源機２Ｂ〜２Ｄは、熱源機２Ａの運転能力比が変更されたことによる被空調室７内の環境変化に対して、それぞれの運転能力比が自律的に変化する（Ｓ１７）。
「運転能力比の定期モニタ」：集中監視装置１は、ステップＳ１３と同様に、選定された熱源機２Ｂに対して、定期的に運転能力比のモニタを行なう（Ｓ１８）。
引き続き、集中監視装置１はステップＳ１５からＳ１８までの処理を繰り返す（Ｓ１９）。
【００１８】
続いて、図６は「設定温度変更時」における通信シーケンスの内容を示す。
「運転能力比の定期モニタ」：図４のシーケンス処理（Ｓ１２）から引き続き、集中監視装置１の運転能力比取得部１０８は、選定された熱源機２Ｂの運転能力比のモニタを定期的に行なう（Ｓ２０）。
「設定温度変更」：庫内設定温度の変更といった、ユーザーからの設定温度操作が集中監視装置１から入力されたとき、正常な熱源機２Ｂ〜２Ｄは、全体能力に対する個々の運転能力比が自律的に変化する（Ｓ２１）。
「運転能力比の変更」：集中監視装置１の運転能力比算出部１０５は、選定された熱源機２Ｂの運転能力比が安定したと判断し、更に、故障した熱源機２Ａの運転能力比と、選定された熱源機２Ｂの運転能力比との差が、既述の閾値以上であると判定したとき、制御指令送信部１０６は、故障した熱源機２Ａに対して、選定された熱源機２Ｂと同じ運転能力比を設定する指令を出力する。故障した熱源機２Ａの運転能力と、選定された熱源機２Ｂの運転能力とが異なる場合は、それぞれに重み付けをしたうえで設定指令出力をする。故障した熱源機２Ａの運転能力比と選定された熱源機２Ｂの運転能力比との差が既述の閾値未満である場合は、運転能力比の設定指令出力を行わない（Ｓ２２）。
【００１９】
「故障熱源機の運転能力比変更」：そうして、故障した熱源機２Ａは、集中監視装置１から送信された運転能力比に基づいて運転を行なう（Ｓ２３）。
「正常な熱源機の自律運転」：正常な熱源機２Ｂ〜２Ｄは、熱源機２Ａの運転能力比が変更されたことによる被空調室７内の環境変化に対して、それぞれの運転能力比が自律的に変化する（Ｓ２４）。
「運転能力比の定期モニタ」：集中監視装置１は、ステップＳ２０と同様に、選定された熱源機２Ｂの運転能力比のモニタを定期的に行なう（Ｓ２５）。
引き続き、集中監視装置１はステップＳ２２からＳ２５までの処理を繰り返す（Ｓ２６）。
【００２０】
他方で、図７は「故障復旧時」における通信シーケンスの内容を示している。
「運転能力比の定期モニタ」：図４のシーケンス処理（Ｓ１２）から引き続き、集中監視装置１の運転能力比取得部１０８は、選定された正常な熱源機２Ｂの運転能力比のモニタを定期的に行なう（Ｓ２７）。
「故障復旧の通報」： そして、故障していた熱源機２Ａは故障が復旧したときに、集中監視装置１に故障復旧を通報する（Ｓ２８）。
「自律制御運転の指示」：集中監視装置１の故障情報取得部１０４が、圧縮機の故障復旧を検知したとき、制御指令送信部１０６は、該当する熱源機２Ａに自律制御運転を指令出力する（Ｓ２９）。
「故障熱源機の運転復旧」：故障した熱源機２Ａは、集中監視装置１から自律制御運転の指令信号を受信すると、環境負荷に対して運転能力比が自律的に変化するのである（Ｓ３０）。
【００２１】
以上のように、実施の形態１に係る冷凍サイクルシステムの集中監視装置１によれば、類似熱源機選出部１０７により選出された熱源機２Ｂの運転能力比と、故障した熱源機２Ａの運転能力比との差に基づいて、故障した熱源機２Ａの運転能力を決定して運転させるようにしたので、被空調室７の室内温度を設定目標温度に保ちながら、故障した熱源機２Ａの負荷を自動的に軽減することができる。また、ユーザー操作にも追従できるため、ユーザーの使いやすさを損なうことなく実現が可能である。そして、この冷凍サイクルシステムは、被空調室７として、日中に貨物の出し入れがある「冷蔵倉庫」として例示されるため、日中に庫内温度が変化しやすいといった環境負荷の変化にも自動的に追従することができる。また、日中より高く設定される夜間の設定目標庫内温度の設定変更にも、冷蔵倉庫としての被空調室７は自動的に対応でき、省エネルギー化の目的を達成することができる。
【００２２】
実施の形態２．
実施の形態１では、同一の被空調室７内に設置された負荷側機器３Ａ〜３Ｄが１つのリモートコントローラー４Ａと接続されている４つの冷媒回路系統８Ａ〜８Ｄから成る１つのグループＧ１を例示したが、４つの冷媒回路系統８Ａ〜８Ｄから成るグループＧ１と、４つの冷媒回路系統８Ｅ〜８Ｈから成るグループＧ２の両グループを、集中監視装置１により制御する、実施の形態２を説明する。
図８はこの発明の実施の形態２における冷凍サイクルシステムの全体の概略構成を示している。図８において、図１および図２と同じ構成要素については同じ符号を用いて説明を省略する。
【００２３】
この実施の形態２における冷凍サイクルシステムは、図１と同様の構成であるが、負荷側機器３Ａ〜３Ｈが同一の被空調室７内に配置された８つの冷媒回路系統８Ａ〜８Ｈを備えている。これら複数の冷媒回路系統８Ａ〜８Ｈは、負荷側機器３Ａ〜３Ｄが共通のリモートコントローラー４Ａに通信線５Ｆを介して通信可能に接続されたグループＧ１と、負荷側機器３Ｅ〜３Ｈが共通のリモートコントローラー４Ｂに通信線５Ｋを介して通信可能に接続されたグループＧ２とにグループ分けされている。グループＧ２の冷媒回路系統８Ｅ〜８Ｈも、既述したＧ１の冷媒回路系統８Ａ〜８Ｄと同様の作用を呈するものである。
【００２４】
そして、全ての冷媒回路系統８Ａ〜８Ｈの熱源機２Ａ〜２Ｈは集中監視装置１に通信線５Ａ，５Ｌを介して通信可能に接続されて制御されるように構成されている。また、集中監視装置１は熱源機２Ａ〜２Ｈの順位付けを２つのグループＧ１，Ｇ２にまたがって実行するようになっている。尚、符号の５Ｇ〜５Ｊはそれぞれ負荷側機器３Ｅ〜３Ｈと熱源機２Ｅ〜２Ｈとを通信可能に接続する通信線である。６Ｅ〜６Ｈはそれぞれ負荷側機器３Ｅ〜３Ｈと熱源機２Ｅ〜２Ｈとを冷媒流通可能に接続する冷媒配管である。尚、多くの図示を省略しているが、絞り弁１０および利用側熱交換器１１は例えば負荷側機器３Ａ〜３Ｈに配備され、圧縮機９およびアキュムレータは例えば熱源機２Ａ〜２Ｈに配備されている。
更に、集中監視装置１において、機種情報取得部１０１は、各熱源機２Ａ〜２Ｈが属するグループＧ１，Ｇ２に関する情報を各熱源機２Ａ〜２Ｈから取得する構成にされている。また、熱源機順位付け部１０３は、記憶装置部１０２に記憶された熱源機２Ａ〜２Ｈの機種に関する情報に基づいて、同一の被空調室７内に配置されたグループＧ１およびＧ２に属する熱源機２Ａ〜２Ｈにまたがって、それぞれの運転能力の順位を設定する構成にされている。
【００２５】
集中監視装置１は、実施の形態１と同様、熱源機２Ａ〜２Ｈとの通信が可能となったとき、機種情報取得部１０１より、熱源機２Ａ〜２Ｈに対して、各機種に関する情報をモニタし、記憶装置部１０２に記憶する。また、複数のグループＧ１，Ｇ２の負荷側機器３Ａ〜３Ｈが同一の被空調室７内に設置されていると登録しておくことで、集中監視装置１の熱源機順位付け部１０３は、熱源機２Ａ〜２Ｈ毎に、同一の被空調室７内の個々のグループＧ１内またはグループＧ２内で運転能力が近い順に、熱源機２Ａ〜２Ｈの順位付けを行う。それ以降の動作は実施の形態１で示したものと同様であるため、ここでは説明を省略する。
【００２６】
以上のように、実施の形態２に係る集中監視装置１によれば、２つのグループＧ１，Ｇ２の負荷側機器３Ａ〜３Ｈが同一の被空調室７内に設置されていると登録されているので、運転能力が近い熱源機２Ａ〜２Ｈの順位付けを複数のグループＧ１，Ｇ２にまたがって実施することができ、より正確な運転を実施することができる。
【００２７】
尚、上記の各実施形態では、被空調室として冷蔵室を例に挙げて説明したが、本発明の冷凍サイクルシステムはそれに限定されるものでない。例えば、被空調室として、冷凍室あるいは居住室などにも適用することも可能である。
また、上記では、集中監視装置として、冷凍機などに代表される熱源機の制御方法に適用した例を述べたが、本発明はそれに限定されるものでなく、冷凍サイクルシステムに用いられる、例えばその他のコンピュータに実行させるためのプログラムとして実現可能であることは言うまでも無い。
【符号の説明】
【００２８】
１  集中監視装置
２Ａ〜２Ｈ  熱源機
３Ａ〜３Ｈ  負荷側機器
４Ａ，４Ｂ  リモートコントローラー
５Ａ〜５Ｌ  通信線
６Ａ〜６Ｈ  冷媒配管
７  被空調室
８Ａ〜８Ｈ  冷媒回路系統
９  圧縮機
１０  絞り弁
１１  利用側熱交換器
１０１  機種情報取得部
１０２  記憶装置部
１０３  熱源機順位付け部
１０４  故障情報取得部
１０５  運転能力比算出部
１０６  制御指令送信部
１０７  類似熱源機選出部
１０８  運転能力比取得部
Ｇ１，Ｇ２  グループ
Ｓ１〜Ｓ３０  ステップ
【図１】
2014185819.tif 000003
【図２】
2014185819.tif 000004
【図３】
2014185819.tif 000005
【図４】
2014185819.tif 000006
【図５】
2014185819.tif 000007
【図６】
2014185819.tif 000008
【図７】
2014185819.tif 000009
【図８】
2014185819.tif 000010